(57)【特許請求の範囲】
【請求項１】
ロビーインターホンから所定の暗証番号が入力されることにより集合住宅の共同玄関の電気錠が解錠するように構成された集合住宅の電気錠解錠システムであって、
上記ロビーインターホンは、そのテンキー操作がなされると、テンキーで入力された暗証番号のデータを集合住宅内の各住戸に設置された機器に送信する制御手段を備え、
各住戸に設置された上記機器は、上記ロビーインターホンから送信されてきた暗証番号のデータを予め設定された暗証番号のデータと比較して、その一致・不一致を判断し、且つその暗証番号が一致するときには、上記ロビーインターホンから上記電気錠に対して解錠信号を出力させるための制御コマンドを出力させる制御手段を備えている集合住宅の電気錠解錠システム。
【請求項２】
ロビーインターホンから所定の暗証番号が入力されることにより集合住宅の共同玄関の電気錠が解錠するように構成された集合住宅の電気錠解錠システムであって、
上記ロビーインターホンは、このロビーインターホンのテンキーが操作されたときに、集合住宅内の各住戸に設置された機器に対してその暗証番号を問い合わせることによりテンキー入力された暗証番号の一致・不一致を判断し、その暗証番号が一致していれば上記電気錠に対して解錠信号を出力させる制御手段を具備している集合住宅の電気錠解錠システム。
【請求項３】
請求項１または２において、
共同玄関の電気錠を解錠するための暗証番号として、ロビーインターホンとの間でインターホン通話を行うための住戸インターホンに設定された暗証番号、各住戸の玄関の電気錠を解錠するための電気錠制御ユニットに設定された暗証番号、又は電話回線を用いて各住戸内の家電機器などを遠隔制御するためのテレコン制御ユニットに設定された暗証番号のうち少なくとも何れか１つの暗証番号が用いられるように構成されている集合住宅の電気錠解錠システム。
【請求項４】
請求項１または２において、
上記電気錠は、集合住宅内の各住戸に設置された上記機器に設定されている暗証番号と共に、その機器が設置されている住戸の住戸番号が入力されることにより解錠するように構成されている集合住宅の電気錠解錠システム。
【発明の詳細な説明】
【０００１】
【産業上の利用分野】
本発明は、ロビーインターホンのテンキーを操作して所定の暗証番号を入力することにより共同玄関の電気錠を解錠させるようにした集合住宅の電気錠解錠システムに関する。
【０００２】
【従来の技術】
従来、この種の電気錠解錠システムでは、集合住宅全体で１つの暗証番号が設定され、その集合住宅内のいずれの住戸の居住者もかかる共通の暗証番号を用いて共同玄関の電気錠を解錠していたのが通例であった。
【０００３】
【発明が解決しようとする課題】
しかしながら、上記従来のシステムでは、いずれの住戸の居住者も共通の暗証番号を用いていたので、ロビーインターホンのテンキーのうち暗証番号の入力操作に使用される特定のキーだけが汚れてしまう。これでは、かかるキーの汚れから部外者に暗証番号を察知されてしまう虞れがあった。
【０００４】
また、共同玄関を解錠するための暗証番号が部外者に漏れたとしても、これだけでは各住戸の居住者には直接的な被害は及ばない。従って、従来では、各居住者が解錠用の暗証番号を部外者に対して安易に洩らし易いという難点もあった。
【０００５】
更に、従来では、暗証番号が部外者に洩れてしまった場合において、その暗証番号を変更しようとしても、新たな暗証番号を全ての居住者に周知徹底させることは難しい。従って、暗証番号を容易に変更することも実際には困難となっていた。
【０００６】
以上の結果、従来では、電気錠が部外者によって勝手に解錠されることを徹底して防止することは困難となっており、防犯性の面で未だ改善すべき余地があった。
【０００７】
本発明は上記の点に鑑みて提案されたもので、共同玄関の電気錠を解錠するための暗証番号がロビーインターホンのテンキーの汚れから解読されたり、或いは前記暗証番号が部外者に安易に洩れるような不具合を解消し、電気錠解錠システムの防犯性を高めることを、その目的としている。
【０００８】
【課題を解決するための手段】
上記目的を達成するために提案された請求項１に記載の本発明に係る集合住宅の電気錠解錠システムは、ロビーインターホンから所定の暗証番号が入力されることにより集合住宅の共同玄関の電気錠が解錠するように構成された集合住宅の電気錠解錠システムであって、上記ロビーインターホンは、そのテンキー操作がなされると、テンキーで入力された暗証番号のデータを集合住宅内の各住戸に設置された機器に送信する制御手段を備え、各住戸に設置された上記機器は、上記ロビーインターホンから送信されてきた暗証番号のデータを予め設定された暗証番号のデータと比較して、その一致・不一致を判断し、且つその暗証番号が一致するときには、上記ロビーインターホンから上記電気錠に対して解錠信号を出力させるための制御コマンドを出力させる制御手段を備えている。
【０００９】
請求項２に記載の本発明に係る集合住宅の電気錠解錠システムは、ロビーインターホンから所定の暗証番号が入力されることにより集合住宅の共同玄関の電気錠が解錠するように構成された集合住宅の電気錠解錠システムであって、上記ロビーインターホンは、このロビーインターホンのテンキーが操作されたときに、集合住宅内の各住戸に設置された機器に対してその暗証番号を問い合わせることによりテンキー入力された暗証番号の一致・不一致を判断し、その暗証番号が一致していれば上記電気錠に対して解錠信号を出力させる制御手段を具備している。
【００１０】
請求項３に記載の本発明に係る集合住宅の電気錠解錠システムは、請求項１または２において、共同玄関の電気錠を解錠するための暗証番号として、ロビーインターホンとの間でインターホン通話を行うための住戸インターホンに設定された暗証番号、各住戸の玄関の電気錠を解錠するための電気錠制御ユニットに設定された暗証番号、又は電話回線を用いて各住戸内の家電機器などを遠隔制御するためのテレコン制御ユニットに設定された暗証番号のうち少なくとも何れか１つの暗証番号が用いられるように構成されている。
【００１１】
請求項４に記載の本発明に係る集合住宅の電気錠解錠システムは、請求項１または２において、上記電気錠は、集合住宅内の各住戸に設置された上記機器に設定されている暗証番号と共に、その機器が設置されている住戸の住戸番号が入力されることにより解錠するように構成されている。
【００１２】
【作用】
上記構成を特徴とする請求項１に記載の本発明に係る集合住宅の電気錠解錠システムでは、集合住宅の各住戸に設置された機器を制御するように設定されている暗証番号がロビーインターホンでテンキー入力されると、共同玄関の電気錠が解錠される。
【００１３】
また、共同玄関の電気錠を解錠するための暗証番号は各住戸に設置された機器を制御するように設定された暗証番号であることから、この暗証番号は各居住者にとって非常に重要な暗証番号となる。従って、各居住者がかかる自己の暗証番号を部外者に対して安易に洩らす可能性も減少させることができる。
更に、共同玄関の電気錠を解錠するための暗証番号を変更したい場合には、各居住者が自己の住居内に設置されている機器を制御するように設定している暗証番号を暗証番号設定手段で変更すればよいので、その暗証番号の変更も容易に行える。
【００１４】
請求項２に記載の本発明に係る集合住宅の電気錠解錠システムでは、ロビーインターホンのテンキーが操作されると、ロビーインターホンの制御手段が各住戸に設置された機器に対してその機器ごとに設定された暗証番号の問い合わせを行い、これによってテンキー入力された暗証番号が一致するか否かが判断される。そして、その暗証番号が一致していれば、電気錠に対して解錠信号が出力される。
従って、これにより電気錠が適切に解錠し、請求項１の場合と同様な作用が得られる。
【００１５】
請求項３に記載の本発明に係る集合住宅の電気錠解錠システムでは、共同玄関の電気錠を解錠させるための暗証番号としては、各居住者は自己の住戸に設置されている住戸インターホン、電気錠制御ユニット、又はテレコン制御ユニットに設定された使い慣れた暗証番号を用いることができることとなる。
従って、共同玄関の電気錠を解錠するための暗証番号が複数種類となることにより、ロビーインターホンのテンキーのうち特定キーのみが汚れるといったことがなくなる。その結果、テンキーの汚れから暗証番号が部外者に解読されてしまうといったことがなくなる。
【００１６】
請求項４に記載の本発明に係る集合住宅の電気錠解錠システムでは、集合住宅内の各住戸に設置された機器に設定されている暗証番号と共にその機器が設置されている住戸の住戸番号が入力されなければ、電気錠を解錠させることができなくなる。
従って、部外者が適当に入力した暗証番号のデータが、各住戸で設定されている複数の暗証番号と偶然に一致することに原因して電気錠が不当に解錠されるといった虞れもなくなる。
【００１７】
【実施例】
以下、本発明の一実施例について図面を参照して説明する。
【００１８】
図１は、本発明に係る集合住宅の電気錠解錠システムの一例を示すブロック図である。
【００１９】
この電気錠解錠システムでは、マンション等の集合住宅の共同玄関にロビーインターホン１が設置されている。共同玄関の電気錠２は、ロビーインターホン１からの解錠信号の出力により解錠される。集合住宅の各住戸内には住戸インターホン３が設置されており、ロビーインターホン１と所定数の住戸インターホン３との相互間のデータおよび通話信号の伝送は、集合住宅内の管理人室等に設置された制御盤４を介して行われる。
【００２０】
制御盤４は、図４に示すように、ロビーインターホン１や住戸インターホン３との相互間でデータを送受するための伝送回路部５、ロビーインターホン１と住戸インターホン３との間の通話信号を制御する通話回路部６、伝送回路部５や通話回路部６を含む制御盤４内の各回路全体を制御するＣＰＵ７、及びシステムメモリ等としての機能するＲＯＭ８やＲＡＭ９を具備している。
なお、ロビーインターホン１の電源は制御盤４を介して供給される。
【００２１】
ロビーインターホン１は、図２に示すように、ロビーインターホン１内の各部の動作制御や信号処理制御を実行するＣＰＵ１１（制御手段に相当する）、データを送受する伝送回路部１２、通話信号を送受する通話回路部１３、プログラムなどを格納しているＲＯＭ１４、データなどを記憶するＲＡＭ１５、使用者が暗証番号等を入力するのに適用されるテンキー１６を具備している。またこれら以外としても、各種の表示を行う表示部１７、使用者の声を音声信号に変換するマイクロホン１８、住戸インターホン３からの音声信号を音声に変換するスピーカー１９、電気錠２を解錠するためのリレー２０、リレー２０のコイル２０ａに通電するためのトランジスタ２１、トランジスタ２１とＣＰＵ１１との間に介装された抵抗２２が具備されている。リレー２０の接点２０ｂは、電気錠２に接続されており、接点２０ｂが開閉することにより電気錠２の解錠や施錠が行われる。
【００２２】
図３は住戸インターホン３を含む住戸内の機器の構成を示すブロック図で、住戸インターホン３は、住戸内信号ラインを介して住戸内の電気錠制御ユニット３１やテレコン制御ユニット３２とデータの送受が可能である。
【００２３】
住戸インターホン３には、住戸インターホン３内の各部を制御するＣＰＵ３４（制御手段に相当する）、通話信号を送受するインターホン回路部３５、ロビーインターホン１や制御盤４との間でデータを送受する伝送回路部３６、電気錠制御ユニット３１やテレコン制御ユニット３２との間でデータを送受する伝送回路部３７、住戸番号すなわち各住戸固有の住戸アドレスを設定するための住戸アドレス設定スイッチ３８、住戸の玄関を開閉可能にする電気錠を解錠する暗証番号を設定するための暗証番号設定スイッチ３９が設置されている。
なお、暗証番号設定スイッチ３９は電気錠制御ユニット３１に設けてもよい。
【００２４】
電気錠制御ユニット３１は、住戸玄関（各住戸の玄関であり、共同玄関とは異なる）の扉に取付けられた電気錠（不図示）の施錠・解錠を制御するものである。この電気錠制御ユニット３１には、電気錠制御ユニット３１内の各部を制御するＣＰＵ４１、電気錠との間で制御信号を送受する電気錠制御信号ドライバ／レシーバ４２、住戸インターホン３との間でデータを送受する伝送回路部４３等が具備されている。
【００２５】
テレコン制御ユニット３２は、電話回線を利用して住戸内の家電機器を遠隔制御するためのもので、このテレコン制御ユニット３２には、テレコン制御ユニット３２内の各部を制御するＣＰＵ４６、電話回線からのデータを受信する電話回路部４７、住戸インターホン３や住戸内の家電機器との間でデータを送受する伝送回路部４８、電話回線を介して住戸内の家電機器を制御可能にするに必要な暗証番号を設定するための暗証番号設定スイッチ４９が設置されている。
【００２６】
次に、上記構成の集合住宅の電気錠解錠システムの使用例、作用について説明する。
例えば１０１号室の居住者が共同玄関の電気錠２を解錠したい場合には、ロビーインターホン１のテンキー１６を操作し、住戸アドレス「１０１」の番号を入力する。次いで、これに引き続いて１０１号室の住戸インターホン３の暗証番号設定スイッチ３９で予め設定している１０１号室の玄関を解錠するための暗証番号を入力する。また、必要に応じてその後にロビーインターホン１の解錠キーを操作すればよい。
【００２７】
これによりロビーインターホン１の伝送回路部１２からは、１０１号室の呼出要求コマンドとテンキー入力された暗証番号のデータとが送出され、これが制御盤４の伝送回路部５を介して１０１号室の住戸インターホン３の伝送回路部３６に送られる。尚、この呼出要求コマンドは、インターホン通話用の呼出要求コマンドとは異なるものである。
【００２８】
次いで、上記データを伝送回路部３６で受信した１０１号室の住戸インターホン３のＣＰＵ３４は、その受信した暗証番号のデータを暗証番号設定スイッチ３９で予め設定されている暗証番号のデータと比較する。その結果、これらの暗証番号が一致していれば、伝送回路部３６からは電気錠解錠要求コマンドが送出され、これが制御盤４で受信されて、この制御盤４の伝送回路部５からはロビーインターホン１の伝送回路部１２に対して電気錠解錠許可コマンドが送信される。これによりロビーインターホン１のＣＰＵ１１が、トランジスタ２１を駆動させてリレー２０のコイル２０ａに通電を行わせる。すると、リレー２０の接点２０ｂが閉成し、共同玄関の電気錠２に解錠信号が出力されることとなり、電気錠２が解錠される。
【００２９】
これに対し、ロビーインターホン１のテンキー１６に入力された暗証番号と１０１号室の住戸インターホン３の暗証番号設定スイッチ３９で設定されている暗証番号とが一致しない場合は、１０１号室の住戸インターホン３の伝送回路部３６から制御盤４の伝送回路部５に電気錠解錠要求コマンドは送信されず、電気錠２の解錠は行われない。
なお、上記した実施例では、住戸インターホン３に設定された暗証番号を共同玄関の電気錠２の解錠用の暗証番号として用いた場合を一例として説明したが、本発明はこれに限定されない。
【００３０】
本発明では、住戸インターホン３に設定された暗証番号に代えて、例えば電気錠制御ユニット３１に設定された住戸玄関の電気錠を解錠するための暗証番号を用いて共同玄関の電気錠２を解錠させるようにしてもよい。
【００３１】
この場合、先ずロビーインターホン１でテンキー入力された暗証番号が１０１号室の住戸インターホン３の伝送回路部３６で受信されると、１０１号室の住戸インターホン３の伝送回路部３７から電気錠制御ユニット３１の伝送回路部４３に暗証番号問い合わせコマンドが送信される。すると、電気錠制御ユニット３１の伝送回路部４３から前記住戸インターホン３の伝送回路部３７に対して電気錠制御ユニット３１に設定されている暗証番号のデータが返信される。これにより、１０１号室の住戸インターホン３のＣＰＵ３４は、返信された暗証番号のデータをロビーインターホン１でテンキー入力された暗証番号のデータと比較する。その結果、その暗証番号のデータが一致していれば、伝送回路部３６からは電気錠解錠要求コマンドが送出され、ロビーインターホン１から電気錠２に解錠信号が出力されることにより、電気錠２が解錠される。
【００３２】
また、本発明では、電気錠２の解錠用の暗証番号として、テレコン制御ユニット３２に設定された暗証番号を用いるように構成してもよい。
この場合にあっても、上記した電気錠制御ユニット３１に設定された暗証番号を用いる場合と同様に、住戸インターホン３からテレコン制御ユニット３２の伝送回路部４８に暗証番号問い合わせコマンドが送信され、これによってテレコン制御ユニット３２で設定された暗証番号とロビーインターホン１でテンキー入力された暗証番号のデータとを比較させるように構成すればよい。
【００３３】
更に、上記した実施例では、暗証番号が一致するか否かを住戸インターホン３側で判断させるように構成した場合を一例として説明したが（請求項３に対応）、本発明はこれに限定されず、ロビーインターホン１のＣＰＵ１１が判断するように構成してもよい。
この場合の一例としては、ロビーインターホン１で暗証番号のテンキー入力がなされた時点で、このロビーインターホン１から各住戸の住戸インターホン３に対して各住戸に設置された機器の暗証番号の問い合わせを実行し、この問い合わせによって判別した暗証番号のデータが先にテンキー入力された暗証番号と一致するか否かを、ロビーインターホン１のＣＰＵ１１が判断するように構成すればよい。
【００３４】
また、上記とは異なる構成としては、例えばロビーインターホン１の電源の立ち上げ時等において、このロビーインターホン１が、全ての住戸の住戸インターホン３に対して暗証番号を問い合わせ、それら暗証番号の全てのデータをロビーインターホン１のＲＡＭ１５に記憶させてもよい。そして、ロビーインターホン１のテンキー操作によって暗証番号が入力されたときには、ＲＡＭ１５に記憶されている暗証番号を参照し、テンキー入力された暗証番号がＲＡＭ１５に記憶されている暗証番号の何れかと一致するか否かをロビーインターホン１のＣＰＵ１１が判断するように構成すればよい。
このような構成によれば、ロビーインターホン１と住戸インターホン３との間で制御コマンドや暗証番号のデータを送受信する動作が不要となり、処理時間の短縮を図ることができる。
【００３５】
上記した実施例では、住戸インターホン３等に設定された暗証番号の桁数が電気錠解錠用の暗証番号の桁数（例えば４桁）と一致する場合を前提として説明したが、本発明では、桁数が異なる暗証番号を用いて電気錠２を解錠させることも可能である。
【００３６】
即ち、住戸インターホン３等に設定された暗証番号の桁数が例えば６桁であって、電気錠解錠用の暗証番号の桁数（例えば４桁）よりも多い場合には、住戸インターホン３等に設定された暗証番号のうち上位あるいは下位の所定桁数のみを有効にすればよい。
【００３７】
また、上記実施例では、ロビーインターホン１のテンキー操作によって所定の住戸番号と暗証番号とを入力させて電気錠２を解錠させるように構成した場合について説明したが（請求項６に対応）、本発明はこれに限定されず、ロビーインターホン１で暗証番号のみをテンキー入力させて解錠させるようにしてもよい。この場合、ロビーインターホン１から全住戸の住戸インターホン３に暗証番号の一致、あるいは暗証番号自体を問い合わせることになるので、通信のための時間が増加するが、テンキー１６の操作を減少できる利点が得られる。但し、ロビーインターホン１のＲＡＭ１５に全ての暗証番号を記憶させておけば、通信のための時間が増加することはない。
【００３８】
更に、上記実施例では、各住戸の玄関の電気錠を解錠するための暗証番号や、電話回線を利用して各住戸の家電機器などを制御可能にするための暗証番号を、電気錠２を解錠させるための暗証番号として用いたが、本発明はやはりこれに限定されない。本発明では、例えば各住戸の住戸インターホン３などに、共同玄関の電気錠解錠用の暗証番号を設定するための暗証番号設定スイッチを設け、共同玄関の電気錠２を解錠するためだけに用いる暗証番号を各住戸の居住者が任意に決定して設定するようにしてもよい。
【００３９】
【発明の効果】
以上の説明から理解されるように、請求項１乃至４に記載の本発明に係る集合住宅の電気錠解錠システムによれば、共同玄関の電気錠を解錠するための暗証番号が複数種類になることから、暗証番号が１つの共通の番号である場合のように、ロビーインターホンのテンキーのうち暗証番号に使用される特定のキーだけが汚れてしまうことに原因して部外者に暗証番号を察知されてしまうというような不具合が生じない。また、共同玄関の電気錠を解錠するための暗証番号が、各住戸に共通した１種類の暗証番号ではなく、各住戸に設置された機器を制御するように設定された暗証番号であることから、各住戸の居住者が部外者に自己の住戸の防犯等に重要な暗証番号を安易に洩らしてしまうというような虞れも減少させることができる。その結果、共同玄関の電気錠を解錠するための暗証番号の機密性を向上させることができ、防犯性を高めることができるという格別な効果が得られる。また、仮に暗証番号が部外者に洩れたとしても、自己の住戸内に設置された機器の暗証番号を変更すれば、これに容易に対処でき、甚だ便利である。
【図面の簡単な説明】
【図１】本発明に係る集合住宅の電気錠解錠システムの概略構成の一例を示す説明図。
【図２】本発明に係る集合住宅の電気錠解錠システムに備えられたロビーインターホンのハード構成の一例を示すブロック図。
【図３】本発明に係る集合住宅の電気錠解錠システムに備えられた住戸インターホンを含む住戸内の機器のハード構成の一例を示すブロック図。
【図４】本発明に係る集合住宅の電気錠解錠システムに備えられた制御盤のハード構成の一例を示すブロック図。
【符号の説明】
１ ロビーインターホン
２ 電気錠
３ 住戸インターホン
４ 制御盤
１１ ＣＰＵ（制御手段）
１５ ＲＡＭ（記憶手段）
１６ テンキー
３１ 電気錠制御ユニット
３２ テレコン制御ユニット
３４ ＣＰＵ（制御手段）
３９  暗証番号設定スイッチ（暗証番号設定手段）
【図１】
0003621436.tif 000002
【図２】
0003621436.tif 000003
【図３】
0003621436.tif 000004
【図４】
0003621436.tif 000005